【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
撮像部を有するカメラに装着可能な交換レンズであって、
第１フォーカスレンズと第２フォーカスレンズとを有する光学系と、
前記光学系による像が前記撮像部に合焦する合焦位置へ向かう方向へ前記第１フォーカスレンズを移動させた後、前記合焦位置へ向かう方向へ移動した前記第１フォーカスレンズが停止すると推定される位置に基づく移動量、前記第２フォーカスレンズを移動させる移動部と、
を備える交換レンズ。
【請求項２】
請求項１に記載の交換レンズにおいて、
前記移動部は、前記合焦位置へ向かう方向へ移動した前記第１フォーカスレンズが停止すると推定される位置と前記合焦位置との距離に基づく移動量、前記第２フォーカスレンズを移動させる交換レンズ。
【請求項３】
請求項１または２に記載の交換レンズにおいて、
前記移動部は、前記合焦位置へ向かう方向へ移動した前記第１フォーカスレンズが停止すると推定される位置に基づく移動量として、前記第１フォーカスレンズの移動速度、および前記撮像部から出力される信号に基づく画像のコントラストを検出する周期、および前記コントラストのピークが検出されてから前記第１フォーカスレンズが停止するまでに移動すると推定される距離に基づく移動量、前記第２フォーカスレンズを移動させる交換レンズ。
【請求項４】
撮像部と、前記撮像部から出力される信号に基づく画像のコントラストを検出する検出部とを有するカメラに装着可能な交換レンズであって、
第１フォーカスレンズと第２フォーカスレンズとを有する光学系と、
前記光学系による像が前記撮像部に合焦する合焦位置へ向かう方向へ前記第１フォーカスレンズを移動させた後、前記第１フォーカスレンズの移動速度と前記検出部がコントラストを検出する周期とに基づく移動量、前記第２フォーカスレンズを移動させる移動部と、
を備える交換レンズ。
【請求項５】
請求項４に記載の交換レンズにおいて、
前記移動部は、前記第１フォーカスレンズの移動速度、および前記検出部がコントラストを検出する周期、および前記第１フォーカスレンズが前記合焦位置を過ぎてから停止するまでに移動すると推定される距離に基づく移動量、前記第２フォーカスレンズを移動させる交換レンズ。
【請求項６】
請求項４または５に記載の交換レンズにおいて、
前記移動部は、前記第１フォーカスレンズの移動速度、および前記検出部がコントラストを検出する周期、および前記検出部により検出されるコントラストのピークが検出されてから前記第１フォーカスレンズが停止するまでに移動すると推定される距離に基づく移動量、前記第２フォーカスレンズを移動させる交換レンズ。
【請求項７】
撮像部を有するカメラに装着可能な交換レンズであって、
第１フォーカスレンズと第２フォーカスレンズとを有する光学系と、
前記第１フォーカスレンズの位置を検出する検出部と、
前記光学系による像が前記撮像部に合焦する合焦位置へ向かう方向へ前記第１フォーカスレンズを移動させた後、前記検出部により検出された前記第１フォーカスレンズの位置に基づく移動量、前記第２フォーカスレンズを移動させる移動部と、
を備える交換レンズ。
【請求項８】
請求項７に記載の交換レンズにおいて、
前記移動部は、前記検出部により検出された前記第１フォーカスレンズの位置と前記合焦位置とに基づく移動量、前記第２フォーカスレンズを移動させる交換レンズ。
【請求項９】
請求項７または８に記載の交換レンズにおいて、
前記移動部は、前記合焦位置へ向かう方向へ移動した前記第１フォーカスレンズが停止した、前記検出部により検出される位置と前記合焦位置との距離に基づく移動量、前記第２フォーカスレンズを移動させる交換レンズ。
【請求項１０】
請求項１から９のいずれか一項に記載の交換レンズにおいて、
前記移動部は、前記合焦位置が検出されると、前記第２フォーカスレンズを移動させる交換レンズ。
【請求項１１】
請求項１から１０のいずれか一項に記載の交換レンズにおいて、
前記移動部は、前記合焦位置へ向かう方向とは異なる方向へ前記第２フォーカスレンズを移動させる交換レンズ。
【請求項１２】
請求項１から１１のいずれか一項に記載の交換レンズにおいて、
前記移動部は、前記合焦位置へ向かう方向へ前記第１フォーカスレンズを移動させるときに、前記合焦位置へ向かう方向へ移動した前記第１フォーカスレンズが停止すると推定される位置に基づく移動量、前記第２フォーカスレンズを移動させる交換レンズ。
【請求項１３】
請求項１から１２のいずれか一項に記載の交換レンズにおいて、
前記移動部は、前記合焦位置へ向かう方向へ前記第１フォーカスレンズを移動させている間に、前記第２フォーカスレンズを微小移動させる交換レンズ。
【請求項１４】
請求項１から１３のいずれか一項に記載の交換レンズにおいて、
前記第２フォーカスレンズの質量は、前記第１フォーカスレンズの質量より小さい交換レンズ。
【請求項１５】
第１フォーカスレンズと第２フォーカスレンズとを有する光学系による像を撮像する撮像部と、
前記撮像部から出力される信号に基づいて、前記光学系による像が前記撮像部に合焦する合焦位置を検出する検出部と、
前記合焦位置へ向かう方向へ前記第１フォーカスレンズの位置を制御した後、前記合焦位置へ向かう方向へ移動した前記第１フォーカスレンズが停止すると推定される位置に基づく移動量、前記第２フォーカスレンズの位置を制御する制御部と、
を備えるカメラ。
【請求項１６】
請求項１５に記載のカメラにおいて、
前記検出部は、前記第２フォーカスレンズを微小移動させている間に前記撮像部から出力される信号に基づく画像のコントラストに基づいて、前記合焦位置へ向かう方向を検出するカメラ。
【請求項１７】
フォーカスレンズを有する光学系による像を撮像する撮像部と、
前記撮像部から出力される信号に基づいて、前記光学系による像が前記撮像部に合焦する合焦位置を検出する検出部と、
前記フォーカスレンズが前記合焦位置へ向かう方向へ移動した後、前記フォーカスレンズが停止すると推定される位置に基づく移動量、前記撮像部を移動させる移動部と、
を備えるカメラ。
【請求項１８】
請求項１７に記載のカメラにおいて、
前記移動部は、前記合焦位置へ向かう方向へ移動した前記フォーカスレンズが停止すると推定される位置と前記合焦位置との距離に基づく移動量、前記撮像部を移動させるカメラ。
【請求項１９】
請求項１７または１８に記載のカメラにおいて、
前記移動部は、前記合焦位置へ向かう方向へ移動した前記フォーカスレンズが停止すると推定される位置に基づく移動量として、前記フォーカスレンズの移動速度、および前記撮像部から出力される信号に基づく画像のコントラストを検出する周期、および前記コントラストのピークが検出されてから前記フォーカスレンズが停止するまでに移動すると推定される距離に基づく移動量、前記撮像部を移動させるカメラ。
【請求項２０】
フォーカスレンズを有する光学系による像を撮像する撮像部と、
前記フォーカスレンズの位置を検出する検出部と、
前記光学系による像が前記撮像部に合焦する合焦位置へ前記フォーカスレンズが移動した後、前記検出部により検出された前記フォーカスレンズの位置に基づく移動量、前記撮像部を移動させる移動部と、
を備えるカメラ。

【手続補正２】
【補正対象書類名】明細書
【補正対象項目名】発明の名称
【補正方法】変更
【補正の内容】
【発明の名称】交換レンズおよびカメラ  
【手続補正３】
【補正対象書類名】明細書
【補正対象項目名】０００１
【補正方法】変更
【補正の内容】
【０００１】
本発明は、交換レンズおよびカメラに関する。

【手続補正４】
【補正対象書類名】明細書
【補正対象項目名】０００６
【補正方法】変更
【補正の内容】
【０００６】
従来の技術では、フォーカスレンズが合焦位置を過ぎて停止してしまうことがあった。

【手続補正５】
【補正対象書類名】明細書
【補正対象項目名】０００７
【補正方法】変更
【補正の内容】
【０００７】
発明の第１の態様による交換レンズは、撮像部を有するカメラに装着可能な交換レンズであって、第１フォーカスレンズと第２フォーカスレンズとを有する光学系と、前記光学系による像が前記撮像部に合焦する合焦位置へ向かう方向へ前記第１フォーカスレンズを移動させた後、前記合焦位置へ向かう方向へ移動した前記第１フォーカスレンズが停止すると推定される位置に基づく移動量、前記第２フォーカスレンズを移動させる移動部と、  を備える。
発明の第２の態様による交換レンズは、撮像部と、前記撮像部から出力される信号に基づく画像のコントラストを検出する検出部とを有するカメラに装着可能な交換レンズであって、第１フォーカスレンズと第２フォーカスレンズとを有する光学系と、前記光学系による像が前記撮像部に合焦する合焦位置へ向かう方向へ前記第１フォーカスレンズを移動させた後、前記第１フォーカスレンズの移動速度と前記検出部がコントラストを検出する周期とに基づく移動量、前記第２フォーカスレンズを移動させる移動部と、を備える。
発明の第３の態様による交換レンズは、撮像部を有するカメラに装着可能な交換レンズであって、第１フォーカスレンズと第２フォーカスレンズとを有する光学系と、前記第１フォーカスレンズの位置を検出する検出部と、前記光学系による像が前記撮像部に合焦する合焦位置へ向かう方向へ前記第１フォーカスレンズを移動させた後、前記検出部により検出された前記第１フォーカスレンズの位置に基づく移動量、前記第２フォーカスレンズを移動させる移動部と、を備える。
【手続補正６】
【補正対象書類名】明細書
【補正対象項目名】０００８
【補正方法】変更
【補正の内容】
【０００８】
発明の第４の態様によるカメラは、第１フォーカスレンズと第２フォーカスレンズとを有する光学系による像を撮像する撮像部と、前記撮像部から出力される信号に基づいて、前記光学系による像が前記撮像部に合焦する合焦位置を検出する検出部と、前記合焦位置へ向かう方向へ前記第１フォーカスレンズの位置を制御した後、前記合焦位置へ向かう方向へ移動した前記第１フォーカスレンズが停止すると推定される位置に基づく移動量、前記第２フォーカスレンズの位置を制御する制御部と、を備える。
発明の第５の態様によるカメラは、フォーカスレンズを有する光学系による像を撮像する撮像部と、前記撮像部から出力される信号に基づいて、前記光学系による像が前記撮像部に合焦する合焦位置を検出する検出部と、前記フォーカスレンズが前記合焦位置へ向かう方向へ移動した後、前記フォーカスレンズが停止すると推定される位置に基づく移動量、前記撮像部を移動させる移動部と、を備える。
発明の第６の態様によるカメラは、フォーカスレンズを有する光学系による像を撮像する撮像部と、前記フォーカスレンズの位置を検出する検出部と、前記光学系による像が前記撮像部に合焦する合焦位置へ前記フォーカスレンズが移動した後、前記検出部により検出された前記フォーカスレンズの位置に基づく移動量、前記撮像部を移動させる移動部と、を備える。
【手続補正７】
【補正対象書類名】明細書
【補正対象項目名】０００９
【補正方法】変更
【補正の内容】
【０００９】
本発明によれば、適切に合焦させることができる。